(57)【要約】【課題】  注射針カバーは、注射針に装備するもので、針刺し事故は防止できるが、本考案のような縫針等に使用できるものではなく、よって、機能・効果が異なるものである。【解決手段】  針の先端及びまたは後端を保護するキュップであって、下面に挿入孔を設け、底部内面をテーパー状に形設してなる押圧部を設けてなる中空状のキャップ本体内に、下部に押圧部に対応するベアリングによる締付部を設けると共に、中心に穴を設けた締付保持体を弾性具にて上下動可能に形成してなることを特徴とする針用保護キャップ。【選択図】図１
2011069037.tif 000002
【特許請求の範囲】
【請求項１】
針の先端及びまたは後端を保護するキャップであって、下面に挿入孔を設け、底部内面をテーパー状に形設してなる押圧部を設けてなる中空状のキャップ本体内に、下部に押圧部に対応するベアリングによる締付部を設けると共に、中心に穴を設けた締付保持体を弾性具にて上下動可能に形成してなることを特徴とする針用保護キャップ。
【請求項２】
弾性具が、圧縮スプリングであることを特徴とする請求項１記載の針用保護キャップ。
【請求項３】
キャップ本体外周に凹凸状の滑止部を形設してなることを特徴とする請求項１又は２記載の針用保護キャップ。
【請求項４】
挿入孔の寸法をΦ０．３ｍｍ〜Φ１．１ｍｍとすることを特徴とする請求項１、２又は３記載の針用保護キャップ。
【請求項５】
縫針やまち針の先端部に上記針用保護キャップの挿入孔より挿入し弾性具により押圧部にて押圧された締付部が先端部を押圧することにより針の先端部を保護することを特徴とする針先端保護方法。
【請求項６】
縫針やまち針の後端部に上記針用保護キャップの挿入孔より挿入し弾性具により押圧部にて押圧された締付部が後端部を押圧することにより針の後端部を保護することを特徴とする針後端保護方法。
【発明の詳細な説明】
【技術分野】
【０００１】  本発明は、主に縫針やまち針等の先端部や後端部を保護するための針用保護キャップ及び針先端保護方法並びに針後端保護方法に関するものである。
【背景技術】
【０００２】  従来の技術としては、同様なものはないが、例えば、注射針カバーであって、弾性樹脂材料からなり、後端には開口部を有し、該後端から所定の中間位置まで筒状に形成されるとともに該中間位置から先端に向けて径が小さくなる略円錐状に形成され、かつ、先端部には注射針保持部が形成されて最先端部において閉口され、該中間位置における内側面所定の位置に円弧状の溝を設けるとともに、該中間位置における外側面所定の位置に円弧状の凸部を設けたことを特徴とする注射針カバーがある。（特許文献１参照）
【先行技術文献】
【特許文献】
【０００３】
【特許文献１】  特開２００６−１８０９０４号  公報
【発明の概要】
【発明が解決しようとする課題】
【０００４】  上記注射針カバーは、注射針に装備するもので、針刺し事故は防止できるが、本発明のような縫針等に使用できるものではなく、よって、機能・効果が異なるものである。
【課題を解決するための手段】
【０００５】  本発明は、上記の問題点を解決するため、針の先端及びまたは後端を保護するキャップであって、下面に挿入孔（Φ０．３ｍｍ〜Φ１．１ｍｍ）を設け、底部内面をテーパー状に形設してなる押圧部を設けてなる中空状のキャップ本体内に、下部に押圧部に対応するベアリングによる締付部を設けると共に、中心に穴を設けた締付保持体を弾性具にて上下動可能に形成してなること、弾性具が、圧縮スプリングであること、キャップ本体外周に凹凸状の滑止部を形設してなること、縫針やまち針の先端部に上記針用保護キャップの挿入孔より挿入し弾性具により押圧部にて押圧された締付部が先端部を押圧することにより針の先端部を保護する。縫針やまち針の後端部に上記針用保護キャップの挿入孔より挿入し弾性具により押圧部にて押圧された締付部が後端部を押圧することにより針の後端部を保護する。
【発明の効果】
【０００６】１）、針用保護キャップは、締付保持体のベアリングによる締付具により縫針やまち針の先端部や後端部を確実に保護できることにより、安全に各針を持ち運びすることができる。
２）、落下させた時においても各針を破損することなく保護できる。
３）、各針をテーブルの置いて使用する場合においても各針を取り易く、作業性が良い。
４）、滑止部を設けることにより各針をつかみ易く取り付け取り外しが容易になっている。
５）、針先端保護方法において、特に縫針やまち針の先端部を保護することができるため、あやまって手や足に刺すこともない。
６）、針後端保護方法において、特に縫針の糸通し部を保護することができ、糸抜けも防止することができる。
また、針山に刺して保管する時も、入り込むことを防止できる。
さらに、厚い布地も縫うことができる。
【図面の簡単な説明】
【０００７】
【図１】  本発明の針用保護キャップの一実施例を示す開放した状態の一部縦断正面図。
【図２】  本発明の針用保護キャップの一実施例を示す締め付けた状態の一部縦断正面図。
【図３】  本発明の針用保護キャップの一実施例を示す平面図。
【図４】  本発明の針用保護キャップの一実施例を示す底面図。
【図５】  本発明の針用保護キャップを使用した針先端保護方法の使用状態図。
【図６】  本発明の針用保護キャップを使用した針後端保護方法の使用状態図。
【図７】  本発明の針用保護キャップを使用した針後端保護方法の別の使用状態図。
【発明を実施するための形態】
【０００８】  １は、縫針及びまたはまち針の先端及びまたは後端を保護する針用保護キャップである。
２は、下面に挿入孔２ａを設け、底部内面を逆円錐テーパー状に形設してなる押圧部２ｂを設けてなる中空状のキャップ本体である。
３は、上記キャップ本体２内に上下動する締付保持体で、下部に上記押圧部２ｂに対応するベアリングによる締付部３ａ（この実施例の場合、３個）を設けると共に、中心に穴３ｂ１を設け、頂部に引押部３ｂ２を設けてある。
４は、圧縮スプリングによる弾性具で、上記締付保持体３を上下動すべく装着してある。
【０００９】  つぎに、針先端保護方法を説明する。
まず、まち針Ｍの先端部Ｓを針用保護キャップ１の挿入孔２ａより挿入し、弾性具４により押圧部２ｂにて押圧された締付部３ａが、先端部Ｓを押圧することによりロックされ、まち針Ｍを引き抜こうとしても引き抜くことはできない。
よって、この状態でテーブル（図示せず）上にまち針Ｍを置いて使用する上においても針用保護キャップ１を掴んで簡単に取ることができ、落下させてもまち針Ｍの先端を破損させることなく安全に使用できると共に、手や足に刺さることもない。
【００１０】  さらに、針後端保護方法について説明する。
縫針Ｎの後端部Ｎ１の糸通し部Ｎ２に糸Ｉを通した状態で、後端部Ｎ１を針用保護キャップ１の挿入孔２ａより挿入し、弾性具４により押圧部２ｂにて押圧され、締付部３ａが、後端部Ｎ１を押圧することによりロックされ、縫針Ｎを引き抜こうとしても引き抜くことはできない。
よって、この状態で針山Ｈに縫針Ｎを刺しておく場合、縫針Ｎ全体が針山Ｈに入り込むことがなく使用できる。
【００１１】  針用保護キャップ２１は、前記針用保護キャップ１のキャップ本体２の外周にローレット加工による凹凸状の滑止部５を形設してなるもので、滑りにくいため各針への取付け取り外しが容易である。
【００１２】  また、針後端保護方法による別の使用例として、縫針ＮＢを上記同様に針用保護キャップ２１に取付け、例えば厚い布地Ｋを縫う場合に、手のひら（図示せず）にて引押部３ｂ２を押圧することにより簡単に布地Ｋを貫通することができ、針用保護キャップ２１を外したり付けたりすることにより縫うことができる。
【００１３】  上記各実施例において、各部材の材質は特に限定するものではない。
また、各針の大きさに合わせて針用保護キャップを製作すればよい、特に大きさは限定しない。
さらに、使用できる針の径は、Φ０．４ｍｍ〜Φ１．０ｍｍとすることが望ましい。
【符号の説明】
【００１４】１−−−−針用保護キャップ
２−−−−押圧部
３−−−−締付保持体
４−−−−弾性具
５−−−−滑止部
Ｍ−−−−まち針
Ｎ−−−−縫針
Ｈ−−−−針山
Ｋ−−−−厚い布地
【図１】
2011069037.tif 000003
【図２】
2011069037.tif 000004
【図３】
2011069037.tif 000005
【図４】
2011069037.tif 000006
【図５】
2011069037.tif 000007
【図６】
2011069037.tif 000008
【図７】
2011069037.tif 000009